(57)【特許請求の範囲】
【請求項１】
前後方向を有し、レンズ部と前記レンズ部の周縁から延出して前記後方向へ延びるフレーム部とが一体に形成されたアイカップと、ヘッドストラップと、前記アイカップと前記ヘッドストラップとを連結するための連結部材とを含むスイミングゴーグルにおいて、
前記連結部材は、可撓性を有し、前記ヘッドストラップよりも高い剛性又は硬質の材料から形成されており、前端部と、前記前端部から前記後方向へ延び、前記前後方向に一連に延びる挿通孔が形成された中間部と、前記中間部から前記後方向へ延びる後端部とを有しており、
前記連結部材の前端部が、前記前後方向と直交する縦方向へ分岐する二股状であって、前記アイカップの外側部に位置する、前記前端部とほぼ同形状を有する凹状端部と嵌合され、かつ、一体的に固定されており、その固定された部位近傍において段差が形成されておらず、
前記二股状を形成する第１及び第２延出端間において他の部位よりも薄い薄板状部位が形成されていることを特徴とする前記スイミングゴーグル。
【請求項２】
前記薄板状部位が、前記アイカップの外側部の側縁とほぼ面一である請求項１に記載のスイミングゴーグル。
【請求項３】
前記アイカップの前記凹状端部は、前記外側部から前記アイカップの上下端縁に沿ってさらに内方へ延びており、前記連結部材の前記前端部が前記凹状端部の形状に応じた形状を有する請求項１又は２に記載のスイミングゴーグル。
【請求項４】
前記中間部の前記後端部側には、前記中間部の内側縁から前記挿通孔内へ延び、かつ、前記縦方向において互いに対向して位置する一対の突起が位置する請求項１〜３のいずれかに記載のスイミングゴーグル。
【発明の詳細な説明】
【技術分野】
【０００１】
本発明は、スイミングゴーグル、特に、可撓性を有する連結部材を介してアイカップとヘッドストラップとが連結されているスイミングゴーグルに関する。
【背景技術】
【０００２】
従来、アイカップとヘッドストラップとを連結するための連結部材を有するスイミングゴーグルは公知である。たとえば、特許文献１には、アイカップとヘッドストラップとを連結するための、硬質材料と軟質材料とからなる連結部材を備えるスイミングゴーグルが開示されている。
【先行技術文献】
【特許文献】
【０００３】
【特許文献１】特開平０６−１９００８１号公報
【発明の概要】
【発明が解決しようとする課題】
【０００４】
特許文献１に開示のスイミングゴーグルでは、連結部材が硬質材料から形成された連結部と、軟質材料から形成されたベルト部とから構成されている。連結部が硬質材料によって形成されていることによって、該部位が使用によって摩耗するおそれはなく、また、ベルト部が軟質の弾性材料から形成されているので、連結部材をアイカップの動きに追従させることができ、スイミングゴーグルを着用者の顔面にフィットさせることができる。
【０００５】
しかし、連結部材はバックル式の連結手段によってアイカップと連結されているので、連結部が外部から比較的に強い衝撃を受けた場合には連結部材がアイカップから外れるおそれがあり、また、連結部がベルト部から突出しているので、競泳中に該連結部周辺に乱流が生じて、水抵抗が大きくなるという問題があった。
【０００６】
本発明の課題は、従来のスイミングゴーグルの改良であって、弾性部材から形成された連結部材を備えることによって、着用者の顔面に対する装着感及び安定感が向上するとともに、アイカップと連結部材とを確実に固定され、かつ、その固定された部位近傍において段差が形成されていないスイミングゴーグルの提供にある。
【課題を解決するための手段】
【０００７】
前記課題を解決するために、本発明が対象とするのは、前後方向を有し、レンズ部と前記レンズ部の周縁から延出して前記後方向へ延びるフレーム部とが一体に形成されたアイカップと、ヘッドストラップと、前記アイカップと前記ヘッドストラップとを連結するための連結部材とを含むスイミングゴーグルである。
【０００８】
本発明の特徴とするところは、前記連結部材は、可撓性を有し、前記ヘッドストラップよりも高い剛性又は硬質の材料から形成されており、前端部と、前記前端部から前記後方向へ延び、前記前後方向に一連に延びる挿通孔が形成された中間部と、前記中間部から前記後方向へ延びる後端部とを有しており、前記連結部材の前端部が、前記前後方向と直交する縦方向へ分岐する二股状であって、前記アイカップの外側部に位置する、前記前端部とほぼ同形状を有する凹状端部と嵌合され、かつ、一体的に固定されており、その固定された部位近傍において段差が形成されておらず、前記二股状を形成する第１及び第２延出端間において他の部位よりも薄い薄板状部位が形成されていることにある。
【００１０】
本発明における他の好ましい実施態様の一つとして、前記薄板状部位が、前記アイカップの外側部の側縁とほぼ面一である。
【００１１】
本発明における他の好ましい実施態様の一つとして、前記アイカップの前記凹状端部が、前記外側部から前記アイカップの上下端縁に沿ってさらに内方へ延びており、前記連結部材の前記前端部が前記凹状端部の形状に応じた形状を有する。
本発明における他の好ましい実施態様の一つとして、前記中間部の前記後端部側には、前記中間部の内側縁から前記挿通孔内へ延び、かつ、前記縦方向において互いに対向して位置する一対の突起が位置する。
【発明の効果】
【００１２】
本発明に係るスイミングゴーグルによれば、可撓性を有し、かつ、ヘッドストラップよりも高い剛性又は硬質の材料から形成された連結部材を介してアイカップとヘッドストラップとが連結されているので、着用者の顔面に対する装着感が向上する。また、連結部材の前端部がそれと同形状を有するアイカップの外側部に形成された凹状端部に嵌合された状態で一体的に固定されているので、その固定された部位近傍において段差が形成されておらず、流水による抵抗を抑えることができる。
【図面の簡単な説明】
【００１３】
【図１】本発明の第１実施形態におけるスイミングゴーグルの斜視図。
【図２】スイミングゴーグルの側面図。
【図３】アイカップと連結部材との分解斜視図。
【図４】連結部材の平面図。
【図５】スイミングゴーグルの上方から見た一部拡大図。
【図６】（ａ）図５のＶＩＡ−ＶＩＡ線断面図、（ｂ）図２のＶＩＢ−ＶＩＢ線断面図。
【図７】スイミングゴーグルの使用状態を示す図。
【図８】本発明の第２実施形態におけるスイミングゴーグルの側面図。
【発明を実施するための形態】
【００１４】
本発明に係るスイミングゴーグル１０の詳細を添付の図面を参照して説明すると、以下のとおりである。なお、図１において、ゴーグル１０の前後方向はＸ、縦方向はＹで示されている。また、Ｃ−Ｃ線は連結ブリッジ１６の長さを二等分する中心線であり、スイミングゴーグル１０は、Ｃ−Ｃ線に対して対称をなしている。また、内方とは、中心線Ｃ−Ｃに向かう方向をいい、外方とはその逆の方向をいう。
【００１５】
＜第１実施形態＞
図１、２に示すとおり、スイミングゴーグル１０は、一体に形成されたレンズ部１１とフレーム部１２とを有する一対のアイカップ１３と、ヘッドストラップ１４と、アイカップ１３の外側部１３ｂから後方へ延びる一対の連結部材１５と、各アイカップ１３の内側部１３ａどうしを連結する連結ブリッジ１６と、ヘッドストラップ１４の長さを調整するための調整手段１７とを含む。各アイカップ１３と各連結部材１５とは接着又はインサート成型によって一体的に連結されており、また、ヘッドストラップ１４は連結部材１５を介してアイカップ１３の外側部１３ｂと連結されている。
【００１６】
アイカップ１３のフレーム部１２は、レンズ部１１の周縁全体から後方へ延びる周壁を形成しており、着用者の眼の周囲に水密に当接する内周壁１８と、下方へ凸となる突出部を有する外周壁１９とを有する。アイカップ１３の外側部１３ｂにおいて、内周壁１８は外側壁１９よりも外方へ延びており、内周壁１８の外側壁１９よりも外方へ延出した部位には、アイカップ１３の外側部１３ｂの形状に沿う曲状の凹状端部２１が形成されている。
【００１７】
アイカップ１３は、各種の硬質プラスチック、好ましくは、ポリカーボネート樹脂から形成されており、ヘッドストラップ１４は、ゴム弾性を有する比較的に柔軟なゴム、プラスチック（ポリウレタン、シリコーン）等から形成することができる。また、連結部材１５は、可撓性かつ弾性変形可能であってヘッドストラップ１４よりも高い剛性又は硬質のプラスチックやゴムなどから形成することができ、特に、アイカップ１３がポリカーボネート樹脂製である場合には、アイカップ１３との接着又はインサート成型による接合の適応性を考慮して、熱可塑性のエラストマーから形成されていることが好ましい。
【００１８】
図４に示すとおり、各連結部材１５は、その外形が縦方向Ｙへ分岐する二股状の前端縁１５ａと、先細（テーパー状）の後端縁１５ｂと、内方へ向かう凹曲状の両側縁１５ｃ，１５ｄとによって画成された細長帯片状であって、縦方向Ｙへ分岐する二股状の前端部２３と、前端部２３から幅狭になって前後方向Ｘへ延びる中間部２４と、中間部２４から僅かに幅広となって後方へ延びる先細状の後端部２５とを有する。前端部２３は、二股状を形成する第１延出端２６ａとそれよりも長さ寸法の小さな第２延出端２６ｂとを有し、それらの間には、他の部位に比して薄い薄板状部位２７が形成されている。また、中間部２４には、薄板状部位２７から後端部２５の手前まで前後方向Ｘに一連に延びるヘッドストラップ１４を連結部材１５に挿通するための挿通孔２８が形成されている。挿通孔２８が中間部２４において前後方向Ｘに一連に延びていることによって、スイミングゴーグル１０を組み立てるときに、ヘッドストラップ１４の取り付けを容易に行うことができる。
【００１９】
挿通孔２８の後端部２５側には、中間部２４の内側縁から挿通孔２８内に互いに対向して延びる一対の突起３０ａ，３０ｂが形成されており、後端部２５側において挿通孔２８の一部からなるヘッドストラップ１４の掛回部３１が形成されている。連結部材１５に掛回部３１が形成されていることによって、ヘッドストラップ１４の挿通孔２８内での前方への移動が規制されて、その位置が固定されるので、着用中にヘッドストラップ１４が挿通孔２８内を移動してスイミングゴーグル１０が着用者の顔面から外れたり、ヘッドストラップ１４の一部がねじれたりするおそれはない。なお、ヘッドストラップ１４のねじれ防止ためには、突起３０ａ，３０ｂは、一対ではなく、挿通孔２８内に少なくとも一つ形成されていればよい。なお、連結部材１５に薄板状部位２７が形成されていない場合であっても、中間部２４に一連に延びる挿通孔２８が形成されていることによって、ヘッドストラップ１４を容易に取り付けることができる。
【００２０】
図３〜５に示すとおり、連結部材１５の前端部２３は、それとほぼ同形状のアイカップ１３の内周壁１８の凹状端部２１に嵌合された状態で接着またはインサート成型による接合によって一体的に固定されている。したがって、着用時又は着用中おいて、スイミングゴーグル１０が外部から比較的に強い衝撃を受けても、アイカップ１３と連結部材１５との連結が不用意に解除されるおそれはない。なお、アイカップ１３と連結部材１５とをより安定的に固定するためには、凹状端部２１の領域をさらに内方まで拡げて、例えば、外周壁１９と内周壁１８との間に形成された隙間に連結部材１５の前端部２３を嵌挿して固定してもよい。なお、アイカップ１３の凹状端部２１が連結部材１５の前端部２３とほぼ同形状である限りにおいて、凹状端部２１及び前端部２３の形状は二股状でなくともよい。
【００２１】
連結部材１５全体の大きさは、スイミングゴーグル１０及びアイカップ１３の大きさによって適宜自由に設計しうるものであるが、本発明のように、アイパッドを備えていないスイミングゴーグル１０においては、着用中にスイミングゴーグル１０の位置ずれを防止するために、連結部材１５による所要の締め付け力が必要である。したがって、連結部材１５がかかる所要の締め付け力を有するためには、一般的な成人用のスイミングゴーグル１０において、図４に示すとおり、前端部２３と中間部２４との間（挿通孔２８の手前）における幅寸法Ｗは、１０〜３０ｍｍ、前後方向の長さ寸法Ｌは、５０〜１００ｍｍであることが好ましい。連結部材１５がかかる大きさを有するものであれば、着用中において水流などにより着用者の両眼周縁近傍からアイカップ１３が外れてしまうおそれを低減できる。
【００２２】
本発明のスイミングゴーグル１０は、連結部材１５を介してアイカップ１３とヘッドストラップ１４とが連結されているので、アイカップ１３の外側部１３ｂにヘッドストラップ１４の折り返し部位がなく段差が形成されていない。したがって、水抵抗を抑えることができ、また、側面視において看者にすっきりとした印象を与え見栄えもよい。
【００２３】
また、図６（ａ），（ｂ）に示すとおり、連結部材１５の薄板状部位２７は、アイカップ１３の外側部１３ｂの側縁４０とほぼ面一に前後方向Ｘの外方へ延びている。具体的には、アイカップ１３の外側部１３ｂを形成する外側壁１９は、前後方向Ｘの外方に向かうにつれて薄くなる緩やかな斜面状に形成されており、外側壁１９にはその外形状と同様の矢羽根状を有するリブ４１が形成されている。リブ４１からさらに前後方向Ｘの外方に位置する側縁４０は、内周壁１８の凹状端部２１に固定された連結部材１５の前端部２３の表面とほぼ面一となっている。このように、アイカップ１３の外周壁１９の側縁４０が連結部材１５の前端部２３の表面とほぼ面一となり、アイカップ１３の外側部１３ｂから連結部材１５の薄板状部位２７にかけて略流線形状を呈しているので、競泳中に該領域において水の乱流が生じ難く、水抵抗を抑えることができる。
【００２４】
図７に示すとおり、スイミングゴーグル１０の着用状態において、連結部材１５は、挿通孔２８が形成されていることによって、２条のストラップ形状を有する中間部２４が着用者のこめかみ近傍から後方に延びて頭部Ｈの側面に密着するので、着用中、特に、水中において着用者が激しい動きをする競泳中においても、水流などによってアイカップ１３の位置がずれることはない。すなわち、適度な柔軟性を有する連結部材１５はアイカップ１３の動きに追従するので、着用者の顔面にフィットし易く、また、中間部２４が比較的に細長状の２条のストラップ状を有しているので、１条のストラップ状に形成されている場合に比してより着用者の顔面を締め付けるように密着してフィット性が向上する。さらに、連結部材１５が１条のストラップ状の場合には、競泳中にアイカップ１３の上端縁に対する流水によって、アイカップ１３に連結部材１５との連結部位を軸としてそれを回転させようとする力が作用するおそれがあるが、本発明では、連結部材１５の前端部２３が二股状であって、第１及び第２延出端２６ａ，２６ｂがアイカップ１３の上下端縁に延びているので、アイカップ１３の動きが規制されてかかる回転力が作用せず、アイカップ１３の位置ずれを生じるおそれはない。
【００２５】
発明において、かかる効果を奏するためには、連結部材１５の硬度は、７０〜１００度であることが好ましい。連結部材１５の硬度が１００以上の場合には、連結部材１５がアイカップ１３の動きに追従することができず、アイカップ１３の位置調整が困難になるとともに、硬度が７０度以下の場合には、連結部材１５の硬度がアイカップ１３の硬度よりも極端に低くなり、フィット性が低下するとともに、着用中又は持ち運び中において、ヘッドストラップ１４とともに後方に引っ張られたときに伸び易くなるおそれがある。この場合には、水中において連結部材１５が流水抵抗に抗することができず、スイミングゴーグル１０が着用者の顔面から外れ易くなるおそれがある。
【００２６】
＜第２実施形態＞
図８は、本発明における第２実施形態のスイミングゴーグル１０の側面図である。本実施形態におけるスイミングゴーグル１０の基本的構成は、第１実施形態のそれとほぼ同様であるので、相違する点についてのみ以下に説明する。
【００２７】
本実施形態では、アイカップ１３の凹状端部２１が外周壁１９の下方張出部１９ａにまで延出した形状を有しており、連結部材１５の前端部２３もその形状に合わせた形状を有している。具体的には、前端部２３の第２延出端２６ｂが第１延出端２６ａよりも大きい長さ寸法を有しており、かかる場合には、第１実施形態よりも連結部材１５とアイカップ１３との接合面積が広くなり、より安定的にこれらの部材を固定することができる。
【符号の説明】
【００２８】
１０  スイミングゴーグル
１１  レンズ部
１２  フレーム部
１３  アイカップ
１３ｂ  アイカップの外側部
１４  ヘッドストラップ
１５  連結部材
１８  内側壁
１９  外側壁
２１  凹状端部
２３  前端部
２４  中間部
２５  後端部
２６ａ  第１延出端
２６ｂ  第２延出端
２７  薄板状部位
２８  挿通孔
【図１】
0005552013.tif 000002
【図２】
0005552013.tif 000003
【図３】
0005552013.tif 000004
【図４】
0005552013.tif 000005
【図５】
0005552013.tif 000006
【図６】
0005552013.tif 000007
【図７】
0005552013.tif 000008
【図８】
0005552013.tif 000009